(57)【要約】【課題】画像データのオブジェクトに対して、定められた特定名とは異なる特定名を付与した場合に、オブジェクトネームを正しく修正するための手戻り工数の増大を抑制すること。【解決手段】画像データを構成する、カットに対応するオブジェクトに対して、カットを示す特定名を含むカットオブジェクトネームを付与することでカットオブジェクトとすること、及び、前記カットオブジェクトに基づいて、媒体をカットすることを行う加工方法であって、前記カットに対応するオブジェクトに対して前記カットオブジェクトネームとは異なる特定名が付与された特定名エラーネーム一覧を表示し、前記特定名エラーネーム一覧から選択した前記特定名エラーネームに係る前記オブジェクトに基づいて、前記媒体をカットする。【選択図】図６
2018122542.tif 000002
【特許請求の範囲】
【請求項１】
画像データを構成するオブジェクトのうち、カットを示す特定名であるカットオブジェクトネームが付与されたオブジェクトをカットオブジェクトとすること、及び、
前記カットオブジェクトに基づいて、媒体をカットすること
を行う加工方法であって、
前記カットオブジェクトネームとは異なる特定名が付与された特定名エラーネーム一覧を表示し、
前記特定名エラーネーム一覧から選択した前記特定名エラーネームに係る前記オブジェクトに基づいて、前記媒体をカットする
ことを特徴とする加工方法。
【請求項２】
請求項１に記載の加工方法であって、
前記カットオブジェクトネームが付与されたオブジェクトの一覧をさらに表示し、前記オブジェクトのそれぞれについて、前記カットオブジェクトとして認識するか否かを選択可能にする
ことを特徴とする加工方法。
【請求項３】
請求項１又は２に記載の加工方法であって、
前記カットを示す特定名が付与されたオブジェクトのうち、特殊効果が付加されたオブジェクトの一覧を表示し、
前記特殊効果が付加されたオブジェクトの取り扱いを案内する情報を表示する
ことを特徴とする加工方法。
【請求項４】
請求項１〜３のいずれかに記載の加工方法であって、
前記特定名エラーネーム一覧から選択したオブジェクトを、プレビュー画面において表示する
ことを特徴とする加工方法。
【請求項５】
画像データを構成するオブジェクトのうち、特色画像を示す特定名である特色画像オブジェクトネームが付与されたオブジェクトを特色画像オブジェクトとすること、及び、
前記特色画像オブジェクトに基づいて、媒体に特色を印刷すること
を行う印刷方法であって、
前記特色画像オブジェクトネームとは異なる特定名が付与された特定名エラーネーム一覧を表示し、
前記特定名エラーネーム一覧から選択した前記特定名エラーネームに係る前記オブジェクトに基づいて、前記媒体に前記特色を印刷する
ことを特徴とする印刷方法。
【請求項６】
画像データを構成するオブジェクトのうち、カットを示す特定名であるカットオブジェクトネームが付与されたオブジェクトをカットオブジェクトとすること、及び、前記カットオブジェクトに基づいて、媒体をカットすることを行う加工装置と、
前記加工装置に前記媒体をカットすることを行わせる加工制御装置と
を備え、
前記加工制御装置は、
前記カットオブジェクトネームとは異なる特定名が付与された特定名エラーネーム一覧を表示し、
前記特定名エラーネーム一覧から選択した前記特定名エラーネームに係る前記オブジェクトに基づいて、前記媒体をカットすることを前記加工装置に行わせる
ことを特徴とする加工システム。
【請求項７】
画像データを構成するオブジェクトのうち、特色画像を示す特定名である特色画像オブジェクトネームが付与されたオブジェクトを特色画像オブジェクトとすること、及び、前記特色画像オブジェクトに基づいて、媒体に特色を印刷することを行う印刷装置と、
前記媒体に特色を印刷することを前記印刷装置に行わせる印刷制御装置と
を備え、
前記印刷制御装置は、
前記特色画像オブジェクトネームとは異なる特定名が付与された特定名エラーネーム一覧を表示し、
前記特定名エラーネーム一覧から選択した前記特定名エラーネームに係る前記オブジェクトに基づいて、前記媒体に前記特色を印刷することを前記印刷装置に行わせる
ことを特徴とする印刷システム。
【発明の詳細な説明】
【技術分野】
【０００１】
本発明は、加工方法、印刷方法、加工システム及び印刷システムに関する。
【背景技術】
【０００２】
インクを吐出するインクジェット式の記録ヘッドと、カッターを備えたカッティングヘッドとを備えた加工装置が知られている。このような加工装置では、インク吐出とカットを同一装置で行うために、ＲＩＰ（Ｒａｓｔｅｒ Ｉｍａｇｅ Ｐｒｏｃｅｓｓｏｒ）ソフトウェアにおいて、画像データを構成する、印刷画像に対応するカラーオブジェクトに基づく印刷用指令コード群を作成すると共に、画像データを構成する複数のオブジェクトのうち、特にカットに対応するカットオブジェクトに基づくカット用指令コード群を作成している。
【０００３】
また、特許文献１に記載の加工装置では、画像データ作成時に、ユーザーがカットに対応するオブジェクトに対して、カットを示す特定名を含むオブジェクトネーム（カットオブジェクトネームと適宜称する）を付与する。ＲＩＰソフトウェアは、そのカットオブジェクトネームに基づいてカットオブジェクトを認識している。
【先行技術文献】
【特許文献】
【０００４】
【特許文献１】特開２００５−３３５１４９号公報
【発明の概要】
【発明が解決しようとする課題】
【０００５】
画像データのカットに対応するオブジェクトに対して、カットオブジェクトネームではなく、ユーザーが誤って異なる特定名を含むオブジェクトネームを付与した場合、ＲＩＰではそのオブジェクトはカットオブジェクトとして認識されず、加工装置においてカットが行われないことがあった。このような場合、ユーザーは画像データ作成時に戻って、カットオブジェクトネームが付与されるようにオブジェクトを修正しなければならず、手戻り工数が増大していた。
【０００６】
また、ＣＭＹＫ（シアン、マゼンタ、イエロー、ブラック）カラーの印刷画像に対応するカラーオブジェクトの他に、メタリックシルバー、グロス、ホワイト等の特色画像を媒体に印刷する場合にも同様のことが起こり得た。すなわち、画像データ作成時に、ユーザーはこれらの特色を印刷したいオブジェクトに対して、特色を示す特定名を含むオブジェクトネーム（特色画像オブジェクトネームと適宜称する）を付与する。この際、ユーザーが誤って異なる特定名を含むオブジェクトネームを付与した場合、媒体に特色は印刷されなかった。このような場合にも、ユーザーは画像データ作成時に戻って、特色画像オブジェクトネームが付与されるようにオブジェクトを修正しなければならず、手戻り工数が増大していた。
【０００７】
本発明は、画像データを構成するオブジェクトのうち、カットを示す特定名であるカットオブジェクトネームとは異なる特定名がオブジェクトに付与された場合に、オブジェクトネームに付与される特定名を正しく修正するための手戻り工数の増大を抑制することを目的とする。また、本発明は、画像データを構成するオブジェクトのうち、特色画像を示す特定名である特色画像オブジェクトネームとは異なる特定名がオブジェクトに付与された場合に、オブジェクトネームに付与される特定名を正しく修正するための手戻り工数の増大を抑制することを目的とする。
【課題を解決するための手段】
【０００８】
本発明の幾つかの実施形態は、画像データを構成するオブジェクトのうち、カットを示す特定名であるカットオブジェクトネームが付与されたオブジェクトをカットオブジェクトとすること、及び、前記カットオブジェクトに基づいて、媒体をカットすることを行う加工方法であって、前記カットオブジェクトネームとは異なる特定名が付与された特定名エラーネーム一覧を表示し、前記特定名エラーネーム一覧から選択した前記特定名エラーネームに係る前記オブジェクトに基づいて、前記媒体をカットすることを特徴とする加工方法である。
【０００９】
また、本発明の幾つかの実施形態は、画像データを構成するオブジェクトのうち、特色画像を示す特定名を含む特色画像オブジェクトネームが付与されたオブジェクトを特色画像オブジェクトとすること、及び、前記特色画像オブジェクトに基づいて、媒体に特色を印刷することを行う印刷方法であって、前記特色画像オブジェクトネームとは異なる特定名が付与された特定名エラーネーム一覧を表示し、前記特定名エラーネーム一覧から選択した前記特定名エラーネームに係る前記オブジェクトに基づいて、前記媒体に前記特色を印刷することを特徴とする印刷方法である。
【００１０】
本発明の他の特徴については、後述する明細書及び図面の記載により明らかにする。
【発明の効果】
【００１１】
本発明の幾つかの実施形態によれば、画像データを構成するオブジェクトのうち、カットを示す特定名であるカットオブジェクトネームとは異なる特定名をユーザーが誤ってオブジェクトに付与した場合に、オブジェクトネームに付与される特定名を正しく修正するための手戻り工数の増大を抑制することができる。また、本発明の幾つかの実施形態によれば、画像データを構成するオブジェクトのうち、特色画像を示す特定名である特色画像オブジェクトネームとは異なる特定名をユーザーが誤ってオブジェクトに付与した場合に、オブジェクトネームに付与される特定名を正しく修正するための手戻り工数の増大を抑制することができる。
【図面の簡単な説明】
【００１２】
【図１】図１は、第１実施形態の加工システム１００の概要説明図である。
【図２】図２は、第１実施形態の加工システム１００のブロック図である。
【図３】図３Ａは、第１実施形態の画像データ作成部６５で作成した画像データの一例を示す図である。図３Ｂは、図３Ａの画像データをジョブデータ処理部７１に取り込んだ際の説明図である。
【図４】図４は、カットオブジェクト処理部７１Ｂの処理フローの説明図である。
【図５】図５Ａは、カット指定データの座標変換の説明図である。図５Ｂは、図５Ａの頂点に従って作成されたカット用指令コードの概念図である。
【図６】図６は、第１実施形態の特定名修正部７２が行う処理のフロー図である。
【図７】図７は、特定名修正ダイアログ画面の一例を示す図である。
【図８】図８は、第２実施形態の印刷システム２００のブロック図である。
【図９】図９は、第２実施形態の画像データ作成部１６５で作成した画像データの一例を示す図である。
【発明を実施するための形態】
【００１３】
＝＝＝第１実施形態＝＝＝
＜加工システム１００の構成＞
図１は、第１実施形態の加工システム１００の概要説明図である。図２は、第１実施形態の加工システム１００のブロック図である。
【００１４】
以下の説明では、図１に示すように各方向を定義する。すなわち、加工装置１のキャリッジ２１の移動方向を「走査方向」とする。また、印刷時における媒体３の移動方向を「搬送方向」とし、媒体３の供給源の側を「上流（上流側）」とし、逆側を「下流（下流側）」とする。なお、下流側から上流側に向かう方向のことを「逆搬送方向」と呼ぶことがある。
【００１５】
加工システム１００は、媒体３に加工（媒体３への画像の印刷や、媒体３のカット等）を行うシステムである。加工システム１００は、加工装置１と、コンピューター６０とを有する。但し、コンピューター６０の果たす機能を加工装置１が実現することによって、加工システム１００が加工装置１単体で構成されても良い。
【００１６】
加工装置１は、媒体３に加工を行うための装置である。例えば、加工装置１は、カッター付きシリアルプリンターである。本実施形態の加工装置１は、図１に示すように、架台２に設けられている。架台２は、加工装置１を載置面（床面）から離して支持するための台である。本実施形態の加工装置１は、コントローラー１０と、キャリッジ部２０と、搬送部３０と、印刷部４０と、カッター部５０とを備えている。
【００１７】
コントローラー１０は、加工装置１の制御を司る制御部である。コントローラー１０は、コンピューター６０からの指令コードに基づいて、加工装置１の駆動部（キャリッジ用モーター２２、搬送用モーター３２、ヘッド駆動部４２及びカッター用ソレノイド５２）を制御する。
【００１８】
キャリッジ部２０は、キャリッジ２１を走査方向に往復移動させるためのユニットである。キャリッジ部２０は、キャリッジ２１と、キャリッジ用モーター２２とを有する。キャリッジ２１は、走査方向に往復移動する部材である。キャリッジ２１には、ヘッド４１及びカッター５１が搭載されており、キャリッジ２１が走査方向に往復移動することによって、ヘッド４１及びカッター５１を走査方向に往復移動させることができる。キャリッジ用モーター２２は、キャリッジ２１を走査方向に移動させるための駆動部である。コントローラー１０は、キャリッジ用モーター２２の駆動を制御することによって、キャリッジ２１の移動を制御することになる。キャリッジ部２０は、キャリッジ２１の走査方向の位置を検出するための位置検出部２３を有する。位置検出部２３は、キャリッジ２１の走査方向の位置を直接検出しても良いし、キャリッジ用モーター２２の駆動量（回転量）を検出することによってキャリッジ２１の位置を間接的に検出しても良い。位置検出部２３は、検出結果をコントローラー１０にフィードバックする。
【００１９】
搬送部３０は、長尺の媒体３（例えばロール紙等）をプラテン４上で搬送するためのユニットである。搬送部３０は、搬送用ローラー３１と搬送用モーター３２とを有する。搬送用ローラー３１は、媒体３をプラテン４上で搬送するための回転ローラーである。搬送用ローラー３１とピンチローラー（不図示）との間に媒体３を挟んだ状態で搬送用ローラー３１を回転させることによって、媒体３を搬送方向（及び逆搬送方向）に搬送することができる。搬送用モーター３２は、搬送用ローラー３１を回転させるための駆動部である。搬送用モーター３２は、正転方向及び逆転方向に搬送用ローラー３１を回転させることができ、これにより、媒体３をプラテン４上で搬送方向及び逆搬送方向に移動させることができる。コントローラー１０は、搬送用モーター３２の駆動を制御することによって、媒体３の搬送を制御することになる。搬送部３０は、媒体３の搬送量を検出するための搬送検出部３３を有する。搬送検出部３３は、媒体３の搬送量を直接検出しても良いし、搬送用ローラー３１の回転量や搬送用モーター３２の駆動量（回転量）を検出することによって媒体３の搬送量を間接的に検出しても良い。搬送検出部３３は、検出結果をコントローラー１０にフィードバックする。
【００２０】
印刷部４０は、媒体３に画像を印刷するためのユニットである。印刷部４０は、ヘッド４１と、ヘッド駆動部４２とを有する。ヘッド４１は、インクを吐出するための多数のノズルを備えたインクジェット式の印刷用ヘッドである。ヘッド駆動部４２は、ヘッド４１の各ノズルからのインクの吐出／非吐出を行わせる駆動部である。ヘッド４１は、キャリッジ２１に搭載されており、キャリッジ２１とともに走査方向に往復移動する。ヘッド駆動部４２は、例えばヘッド４１がバブルジェット式であればヒーターのオン・オフを制御するヒーター駆動部であり、ヘッド４１がピエゾ式であればピエゾ素子を駆動する駆動部である。コントローラー１０は、ヘッド駆動部４２を制御することによって、ヘッド４１からのインクの吐出を制御することになる。
【００２１】
カッター部５０は、媒体３をカットするためのユニットである。カッター部５０は、カッター５１と、カッター用ソレノイド５２とを有する。カッター５１は、媒体３をカットするための刃先を備えた工具である。カッター用ソレノイド５２は、媒体面に垂直な方向に沿ってカッター５１を駆動する駆動部である。コントローラー１０は、カッター用ソレノイド５２を制御することによって、カッター５１の刃先と媒体３との接触／非接触を制御し、カッター５１の刃先と媒体３との接触圧を制御する。
【００２２】
コンピューター６０は、加工装置１を制御するための加工制御装置である。コンピューター６０は、加工装置１を制御するための指令コードを作成し、その指令コードを加工装置１に送信する。コンピューター６０から指令コードを受信した加工装置１は、指令コードに沿って各部を制御して、媒体３の加工を行うことになる。コンピューター６０は、例えば汎用のパーソナルコンピューター６０であり、ＣＰＵ、メモリ、記憶装置、通信部等を備えている。ＣＰＵは、記憶装置に記憶されているプログラムをメモリに読み出して実行することにより、後述する各種処理を実行する。記憶装置には、プログラムや各種のデータが記憶されている。通信部は、加工装置１に接続するための通信モジュール（例えばＵＳＢモジュール）である。コンピューター６０には、ディスプレイ６１（表示装置）やキーボード６２（入力装置）等が接続されていても良い。
【００２３】
コンピューター６０は、画像データ作成部６５と、加工制御部７０とを有する。
【００２４】
画像データ作成部６５は、画像データを作成する機能を有する。画像データ作成部６５は、コンピューター６０が描画プログラムを実行することによって実現される。画像データ作成部６５は、例えば通常の画像作成系ソフトウェアによって構成される。画像データには、媒体３にカラー印刷する画像を示すカラーオブジェクトや特色画像オブジェクト、さらに媒体３をカットするカットラインを指定するカットオブジェクトが含まれている。ユーザーは、画像データ作成部６５を用いて、加工装置１に印刷させる画像や、加工装置１にカットさせるカットラインを描くことになる。ここでは、カットオブジェクトにおけるカットする領域は、カットラインによって囲まれた領域（後述する図３Ａの破線で囲まれた領域）となる場合や、線状のカットライン（例えば単一の直線や単一の曲線のみのカットライン等）を指すこともある。
【００２５】
ユーザーは、媒体３をカットするカットラインを指定するために、対応するオブジェクトに対して、特定名を付与する。具体的には、画像データ作成部６５においてカットオブジェクトを作成する際に、カットを示す特定名をカットオブジェクトネームとして入力し、カットオブジェクトを作成することになる。これにより、そのカットオブジェクトネームが付与されたオブジェクトは、媒体３をカットするカットオブジェクトとして加工制御部７０に認識されることになる。カットを示す特定名としては、例えば「ＣｕｔＣｏｎｔｏｕｒ」、「ＣｕｔＰａｔｈ」、「ＣｕｔＬｉｎｅ」等を使用することができる。但し、後述する加工制御部７０において、カット用の特定名としていずれを使用するのかについては予め設定されている。また、別の方法でカットオブジェクトとして認識されてもよい。なお、カットを示す特定名、及び後述する特色画像を示す特定名のどちらも付与されないその他のオブジェクトは、通常のカラー印刷を行うカラーオブジェクトとして加工制御部７０に認識される。画像データ作成部６５によって作成されたカットオブジェクトは、ジョブデータとして加工制御部７０に引き渡される。なお、ジョブデータとは、加工装置１にさせる仕事（ジョブ）の単位データである。
【００２６】
加工制御部７０は、加工装置１を制御するための指令コードを作成する機能を有する。加工制御部７０は、コンピューター６０が加工装置１用の制御プログラムを実行することによって実現される。加工装置１用の制御プログラムには、ＲＩＰが含まれていてもよい。加工制御部７０は、ジョブデータ処理部７１と、特定名修正部７２とを有する。なお、加工制御部７０は、加工装置１の各種設定を行う設定部（不図示）等を有していても良い。
【００２７】
ジョブデータ処理部７１は、ジョブデータに基づいて指令コードを作成する。ジョブデータ処理部７１は、画像オブジェクト処理部７１Ａと、カットオブジェクト処理部７１Ｂとを有する。ジョブデータ処理部７１は、画像オブジェクト処理部７１Ａを用いてジョブデータに含まれるカラーオブジェクトに基づいて印刷用指令コード群を作成するとともに、カットオブジェクト処理部７１Ｂを用いてジョブデータに含まれるカットオブジェクトに基づいてカット指令コード群を作成する（後述）。加工装置１は、印刷指令コード群に従ってカラーオブジェクトの示す印刷画像５を媒体３に印刷した後、カット指令コード群に従って媒体３をカットすることになる。
【００２８】
画像オブジェクト処理部７１Ａは、ジョブデータに含まれるカラーオブジェクトに基づいて印刷用指令コード群を作成する。印刷用指令コード群は、キャリッジ用モーター２２、搬送用モーター３２及びヘッド駆動部４２への指令コードから構成されている。
【００２９】
カットオブジェクト処理部７１Ｂは、ジョブデータに含まれるカットオブジェクトに基づいてカット用指令コード群を作成する。カット用指令コード群は、キャリッジ用モーター２２、搬送用モーター３２及びカッター用ソレノイド５２への指令コードから構成されている。カットオブジェクト処理部７１Ｂの詳細については、後述する。
【００３０】
特定名修正部７２は、ユーザーが画像データ作成部６５を用いてカットオブジェクトとして作成したにも関わらず、カットオブジェクト処理部７１Ｂにおいてカットオブジェクトとして認識されなかったオブジェクトの一覧（以下、特定名エラーネーム一覧と称する）を表示し、補修する。本実施形態の特定名修正部７２は、ジョブデータ処理部７１とは別の機能として図２に示されているが、ジョブデータ処理部７１が特定名修正部７２を有し、ジョブデータ処理中の一機能として特定名修正を行ってもよい。特定名修正部７２の詳細については、後述する。
【００３１】
＜カットデータ処理＞
図３Ａは、第１実施形態の画像データ作成部６５で作成した画像データの一例を示す図である。図３Ａ中には、印刷画像として３つの画像５Ａ〜５Ｃが示されるとともに、カットラインとしてカットライン６Ａ〜６Ｃが破線で示されている。なお、以下の説明では、カットオブジェクト処理部７１Ｂがカットラインとして認識するオブジェクトの特定名を「ＣｕｔＣｏｎｔｏｕｒ」として予め設定しているものとする。
【００３２】
カットライン６Ａに対応するオブジェクトには、特定名として「ＣｕｔＣｏｎｔｏｕｒ」が付与されている。以下、カットラインに対してカットを示す特定名を「カットオブジェクトネーム」と称する。また、カットライン６Ｂに対応するオブジェクトには、特定名として「ＣｕｔＣｏｎ」が付与されている。カットライン６Ｃに対応するオブジェクトには、特定名として「ＣｕｔＣｏｎｔｏｕｒ」が付与されている。但し、図３Ａに示すように、カットライン６Ｃは特殊効果として「ぼかし」が設定されている。このため、カットオブジェクトを示す特定名である「ＣｕｔＣｏｎｔｏｕｒ」が付与されているオブジェクトであっても、後述するオブジェクト処理部７１Ｂによりカットを実行するカットオブジェクトとして認識されない。
【００３３】
図４は、カットオブジェクト処理部７１Ｂの処理フローの説明図である。図４に示す処理フローは、画像データ中の一つのオブジェクトについての処理について説明したものであり、画像データ中に複数のオブジェクトが含まれている場合は、オブジェクトの個数分処理を繰り返すことになる。例えば、図３Ａに示したオブジェクトであれば、３つの画像５Ａ〜５Ｃにそれぞれ対応する３つのオブジェクトが含まれているので、図４に示すフローを３回繰り返すことになる。
【００３４】
まず、カットオブジェクト処理部７１Ｂは、画像データに含まれるオブジェクトをジョブデータ処理部７１から取得する（Ｓ００１）。前述の通り、ユーザーはオブジェクト作成時に、カットラインに対してカットを示す特定名をオブジェクトの名称（以下、オブジェクトネームと称する）に入力することになる。仮に、カットラインではなく、画像を印刷するカラーオブジェクトであれば、ユーザーは特定名をオブジェクトネームに入力しない。カットを示す特定名が付与されているオブジェクトがカットオブジェクトとなりうる。よって、カットオブジェクト処理部７１Ｂは、このようにユーザーがカットを示すものとして特定名を付与したオブジェクトを取得する。しかし、これに限らず、例えば、オブジェクトに付与された名称の頭に「Ｃｕｔ」の文字を有するオブジェクトをカットオブジェクトとしてジョブデータ処理部７１から取得してもよい。
【００３５】
次に、カットオブジェクト処理部７１Ｂは、取得したオブジェクトに基づいてカットオブジェクトを認識する（Ｓ００２）。具体的には、カットオブジェクト処理部７１Ｂは、オブジェクトネームがカットを示す特定名であれば、そのオブジェクトをカットオブジェクトと認識する（Ｓ００２・ＹＥＳ）。また、カットオブジェクト処理部７１Ｂは、オブジェクトの名称がカットを示す特定名でなければ、そのオブジェクトをカットオブジェクトと認識しない（Ｓ００２・ＮＯ）。
【００３６】
カットラインは、例えば所定の領域を切り抜くためのラインになる。この場合、カットラインは閉じた空間を形成するライン（例えば輪郭線）になっている。この所定の領域を切り抜くためには、カットラインの境界線を明確に決定する必要がある。例えば、このカットオブジェクトに「ぼかし」等の特殊効果が設定されていると、「ぼかし」上のどの位置をカットするのか、ラインの境界線を明確に決定することができない。したがって、カットオブジェクト処理部７１Ｂは、オブジェクトネームがカットを示す特定名を含んでいても、そのオブジェクトに特殊効果が設定されていると、そのオブジェクトをカットオブジェクトと認識しない（Ｓ００２・ＮＯ）。なお、カットオブジェクト処理部７１Ｂがカットオブジェクトとして認識しないオブジェクトの特殊効果は「ぼかし」に限られず、「グラデーション」や「モザイク」等、ラインの境界線を明確に決定することができない他の特殊効果であってもよい。
【００３７】
図３Ｂは、図３Ａの画像データをジョブデータ処理部７１に取り込んだ際の説明図である。図３Ｂは、図３Ａのジョブデータに基づいて、ジョブデータ処理部７１が加工装置１を制御するための指令コードを作成する際のプレビュー画面として表示されてもよい。図３Ｂに示す通り、ジョブデータ処理部７１のカットオブジェクト処理部７１Ｂが認識したカットライン７が破線で示されている。図３Ｂでは、ユーザーにより作成されたカットライン６Ａ（図３Ａを参照）のオブジェクトがカットオブジェクトとして認識された結果、カットライン７として表示されているが、カットライン６Ｂ及びカットライン６Ｃが表示されていない。これは、カットオブジェクト処理部７１Ｂが、カットライン６Ｂ及びカットライン６Ｃのオブジェクトをカットオブジェクトとして認識していないからである。
【００３８】
カットオブジェクト処理部７１Ｂがカットライン６Ｂをカットオブジェクトとして認識しないのは、カットライン６Ｂのオブジェクトの名称として、カットを示す特定名「ＣｕｔＣｏｎｔｏｕｒ」ではなく、異なる特定名「ＣｕｔＣｏｎ」が設定されているためである。この場合、カットオブジェクト処理部７１Ｂは、カットライン６Ｂをカットオブジェクトとして認識できない。また、カットオブジェクト処理部７１Ｂがカットライン６Ｃをカットオブジェクトとして認識しないのは、カットライン６Ｃに特殊効果として「ぼかし」が設定されているためである。
【００３９】
したがって、仮にこのままで加工装置１による加工を実行すると、図３Ａにおけるカットライン６Ａのみカットが実行され、カットライン６Ｂ及びカットライン６Ｃはカットが実行されなくなってしまう。そこで、このようなカットオブジェクトとして認識されなかったオブジェクトについては、後述する特定名修正部７２による特定名修正が実行される（Ｓ００３）。
【００４０】
以降は、カットラインとして認識されているカットオブジェクトについて、加工装置１による加工作業について説明する（Ｓ００２・ＹＥＳ）。カットオブジェクトは、通常ベクターデータである。前述の認識されたカットオブジェクトに関して、カットオブジェクト処理部７１Ｂは、カットオブジェクトの示すカットライン７の頂点を取得する（Ｓ００４）。図５Ａは、カットオブジェクトの座標変換の説明図である。例えば、図３Ｂのような四角形状のカットライン７を示すカットオブジェクトの場合、カットオブジェクト処理部７１Ｂは、図５Ａに示すように、４つの頂点Ｐ１〜Ｐ４の座標を特定する。なお、図５Ａでは、走査方向の座標をｘ座標、搬送方向の座標をｙ座標としている。ここではカットライン７を四角形状にしているが、カットライン７は他の多角形でも良いし、楕円形状のように曲線で構成されても良い。この場合、頂点の数（ｎ）は、４よりも多くなる（ｎ＞４）。
【００４１】
次に、カットオブジェクト処理部７１Ｂは、頂点の位置に基づいて、カット用指令コード群を作成する（Ｓ００５）。図５Ｂは、図５Ａの頂点に従って作成されたカット用指令コードの概念図である。初期位置Ｐ０（直前のジョブデータの完了時の媒体３に対するカッター５１の相対位置）でカッター５１が上がっているとき、例えばカット用指令コード群は、次のようなカット用指令コード群を含んでいる。
【００４２】
（１）初期位置Ｐ０から頂点Ｐ１までカッター５１を相対移動させるためのカット用指令コード。（２）頂点Ｐ１においてカッター５１を下すためのカット用指令コード。（３）頂点Ｐ１から頂点Ｐ２までカッター５１を相対移動させるためのカット用指令コード。同様に、頂点Ｐｉから頂点Ｐｉ＋１までカッター５１を相対移動させるためのカット用指令コード。（４）最後の頂点Ｐｎ（ここではｎ＝４）から最初の頂点Ｐ１までカッター５１を相対移動させるためのカット用指令コード。（５）頂点Ｐ１においてカッター５１を上げるためのカット用指令コード。
【００４３】
なお、カッター５１をｘ方向に相対移動させるカット用指令コードには、キャリッジ２１を走査方向に移動させるようにキャリッジ用モーター２２を駆動する指令コードが含まれることになる。また、カッター５１をｙ方向に相対移動させるカット用指令コードには、媒体３を搬送又は逆搬送させるように搬送用モーター３２を駆動する指令コードが含まれることになる。また、カッター５１を上下動させるカット用指令コードには、カッター用ソレノイド５２を駆動する指令コードが含まれることになる。また、カッター５１の刃先と媒体３との接触圧を設定するため、カッター用ソレノイド５２の駆動力を特定する指令コードがカット用指令コードに含まれても良い。
【００４４】
加工装置１は、図５Ｂのカット指令コード群に従って、各駆動部（キャリッジ用モーター２２、搬送用モーター３２及びカッター用ソレノイド５２）を駆動することになる。これにより、加工装置１は、キャリッジ２１を走査方向に移動させてカッター５１を走査方向に移動させつつ、媒体３を搬送方向及び逆搬送方向に搬送させることによって、媒体３とカッター５１とを相対的に移動させて、媒体３をカットさせることになる。この結果、ジョブデータに含まれるカット指定データの示す線に沿って、媒体３がカットされることになる。
【００４５】
＜特定名修正処理＞
図６は、第１実施形態の特定名修正部７２が行う処理のフロー図である。特定名修正部７２が行う処理は、コンピューター６０が加工装置１用の制御プログラムを実行させることにより行われる。特定名修正部７２は、前述したようにユーザーが画像データ作成部６５によりオブジェクトのオブジェクトネームに特定名を入力したにも関わらず、カットオブジェクト処理部７１Ｂにおいてカットオブジェクトとして認識されなかったオブジェクトの一覧（特定名エラーネーム一覧）を表示する。ユーザーは、表示された特定名エラーネーム一覧から、カットすべきオブジェクトを選択する。特定名修正部７２は、指定されたオブジェクトのオブジェクトネームを修正する。
【００４６】
特定名修正部７２は、カットを示す特定名ではない名称が付与されているカットライン６Ｂのような場合に、特定名修正ダイアログ画面にそのオブジェクト情報を表示する。そして、ユーザーがカットを指定したオブジェクトに対して、カットを示す特定名を付与する。これにより、カットライン６Ｂのオブジェクトネームを、カットを示す特定名を含むように修正するために画像データ作成部６５に戻ることなく、カットオブジェクトの指定を行うことが出来る。すなわち、加工制御部７０内部でカットオブジェクトの指定を行うことにより、オブジェクトネームの修正のために画像データ作成部６５にまで遡るという手戻り工数の増大を抑制することができる。また、特定名修正部７２は、特殊効果である「ぼかし」が設定されているカットライン６Ｃのオブジェクトに対して、特定名修正ダイアログ画面にそのオブジェクトの情報を表示した上、その取り扱いを案内する情報を表示する。これにより、カットオブジェクトとしたいオブジェクトが、特殊効果が付与されているがゆえにカットオブジェクトと認識されていないことをユーザーは知ることができる。ユーザーは、カットオブジェクトと認識されるようにオブジェクトを修正する必要があることを加工前に認識することができる。
【００４７】
特定名修正部７２は、特定名修正の対象となりうる、カットオブジェクトとして認識されなかったオブジェクトをジョブデータ処理部７１から取得し、ディスプレイ６１等の画面に表示する（Ｓ１０１）。本実施形態における、カットオブジェクトとして認識されなかったオブジェクトとは、カットを示す特定名ではない名称が付与されているオブジェクト（特定名エラーオブジェクト）と、オブジェクトに特殊効果が設定されているオブジェクト（カット不可オブジェクト）である。特定名修正部７２は、特定名修正ダイアログ画面により、カットオブジェクトとして認識されなかったオブジェクトの一覧（特定名エラーネーム一覧）を表形式にて表示する。しかし、これに限られず、カットオブジェクトとして認識されなかったオブジェクトの情報を表示するものであればどのような形式でもよい。
【００４８】
図７は、特定名修正ダイアログ画面の一例を示す図である。図示された特定名修正ダイアログ画面では、オブジェクトの名称がカットオブジェクトを示す特定名“ＣｕｔＣｏｎｔｏｒ”を含まない、カラーオブジェクト以外のオブジェクトの情報が表示されている。すなわち、カラーオブジェクトを除き、カットオブジェクト処理部７１Ｂがカットオブジェクトとして認識できないオブジェクトが表示されている。
【００４９】
特定名修正ダイアログ画面では、表示されたオブジェクトがカットオブジェクトとして認識されるように、カットオブジェクト復元のためのチェックボックス欄を有している。ユーザーは、このチェックボックス欄にチェックを入れ、ＯＫボタンを押下することで、カットオブジェクトして認識できなかったオブジェクトに基づいて、カットを実行できるようになる（Ｓ１０２・ＹＥＳ）。具体的には、特定名修正部７２において選択された（チェックが入った）オブジェクトに係るカットライン情報に基づいて、カットオブジェクト処理部７１Ｂが、カット用指令コード群を作成することになる。なお、特定名修正ダイアログ画面にオブジェクトを表示した際に、カットオブジェクトとして認識可能なオブジェクトについては自動的にチェックボックスにチェックが入力されている状態であってもよい。なお、カットオブジェクトを指定をする場合のカット実行のフロー（Ｓ１０３及びＳ１０４）については、カットライン７の認識が行われた場合（図４・Ｓ００４及びＳ００５）と同様である。これにより、画像データ作成部６５において改めてオブジェクトネームを修正しなくても、加工制御部７０の特定名修正部７２によるダイアログ画面においてカットオブジェクトの指定をすることができるので、カットを示す特定名を含むオブジェクトネーム修正のための手戻り工数の増大を抑制することができる。
【００５０】
また、特定名修正ダイアログ画面では、特殊効果として「ぼかし」が設定されているオブジェクトが表示されている。このオブジェクトには、“ＣｕｔＣｏｎＣｏｎｔｏｕｒ”。すなわち、カットオブジェクト処理部７１Ｂがカットラインとして認識するためのカットを示す特定名を含むカットオブジェクトネームが設定されている。この場合、特定名修正ダイアログ画面では、その取り扱いを案内する情報を表示する。取り扱いを案内する情報とは、例えばそのオブジェクトに対して、カットオブジェクトとして加工装置１に正しく認識されるために、画像データ作成部６５に戻ってオブジェクトに設定されている特殊効果を削除する手順を示した情報であってよい。
【００５１】
本実施形態では、特定名修正部７２は、特定名修正の対象となりうる、カラーオブジェクト以外の、カットオブジェクトとして認識されなかったオブジェクトをジョブデータ処理部７１から取得する。しかし、これに加え、カットオブジェクトとして認識されたオブジェクトの一覧を取得し、特定名修正ダイアログ画面に表示してもよい。例えば、特定名修正ダイアログ画面に、ライン６Ａのオブジェクト情報が表示されてもよい。これにより、ユーザーはカットラインとして認識されたカットオブジェクトについて、カットを実行するかの選択することができる。つまり、カットを示す特定名が入力されたカットオブジェクトについても、加工装置１による加工前にカットをさせない選択を行うことができる。
【００５２】
本実施形態の特定名修正ダイアログ画面では、カラーオブジェクトを除き、オブジェクトに付与されたオブジェクトネームが、カットを示す特定名を含まないオブジェクトネームや、オブジェクトに特殊効果が設定されている、カットオブジェクトネームが付与されたオブジェクト情報の一覧が表示されている。ユーザーがこれらの一覧から選択したオブジェクトについて、プレビュー画面において印刷およびカット完了後の仕上がり状態が表示されてもよい。
【００５３】
＜効果＞
本実施形態によれば、次のような効果が得られる。
【００５４】
本実施形態の加工システム１００による加工方法は、画像データを構成するオブジェクトのうち、カットを示す特定名であるカットオブジェクトネームが付与されたオブジェクトをカットオブジェクトとすること、及び、カットオブジェクトに基づいて、媒体をカットすることを行う。特定名修正部７２により、カットオブジェクトネームとは異なる特定名が付与された特定名エラーネーム一覧を表示し、特定名エラーネーム一覧から選択した特定名エラーネームに係るオブジェクトに基づいて、媒体をカットすることを特徴とする加工方法が明らかとなる。このような加工方法によれば、カットオブジェクトネームとは異なる特定名をユーザーが誤ってオブジェクトに付与した場合に、オブジェクトネームに付与される特定名を正しく修正するための手戻り工数の増大を抑制することができる。
【００５５】
特定名修正部７２は、カットオブジェクトネームが付与されたオブジェクトの一覧をさらに表示し、オブジェクトのそれぞれについて、カットオブジェクトとして認識するか否かを選択可能にする。これにより、カットを示す特定名であるカットオブジェクトネームが付与されたカットオブジェクトについても、加工装置１による加工前にカットをさせない選択を行うことができる。
【００５６】
特定名修正部７２は、カットを示す特定名が付与されたオブジェクトのうち、特殊効果が付加されたオブジェクトの一覧を表示し、特殊効果が付加されたオブジェクトの取り扱いを案内する情報を表示する。これにより、ユーザーがカットしたいオブジェクトについて、ぼかし効果など、カットが特定出来ない特殊効果を付加したオブジェクトをユーザーが誤って作成してしまった場合に、オブジェクトを修正する必要があることを加工装置１による加工前に認識することができる。
【００５７】
特定名修正部７２は、特定名エラーネーム一覧から選択したオブジェクトを、プレビュー画面において表示する。これにより、ユーザーは特定名エラーネーム一覧から選択したオブジェクトを加工装置１による加工前に確認することができる。
【００５８】
本実施形態の加工システム１００は、画像データを構成するオブジェクトのうち、カットを示す特定名であるカットオブジェクトネームが付与されたオブジェクトをカットオブジェクトとすること、及び、カットオブジェクトに基づいて、媒体をカットすることを行う加工装置１と、加工装置１に媒体をカットすることを行わせる加工制御部７０とを備える。加工制御部７０の特定名修正部７２は、カットオブジェクトネームとは異なる特定名が付与された特定名エラーネーム一覧を表示し、特定名エラーネーム一覧から選択した特定名エラーネームに係るオブジェクトに基づいて、媒体をカットすることを加工装置１に行わせることを特徴とする加工システム１００が明らかとなる。このような加工システム１００によれば、カットオブジェクトネームとは異なる特定名をユーザーが誤ってオブジェクトに付与した場合に、オブジェクトネームに付与される特定名を正しく修正するための手戻り工数の増大を抑制することができる。
【００５９】
＝＝＝第２実施形態＝＝＝
＜特色の印刷における特定名修正処理＞
【００６０】
第１実施形態の加工システム１００では、媒体３への画像の印刷と、媒体３のカットとを行うためのシステムであったが、本実施形態では、これらに加えて、媒体３への特色の印刷を行うためのシステムである。特色とは、ＣＭＹＫ（シアン、マゼンタ、イエロー、ブラック）及びそれらの組み合わせでは表現できない、メタリックシルバー、グロス、ホワイト等の色を指す。なお、本実施形態では、第１実施形態で述べたカット作業が行われなくてもよい。したがって、本実施形態では、加工システム（加工装置）ではなく、印刷システム（印刷装置）として説明する。
【００６１】
図８は、第２実施形態の印刷システム２００のブロック図である。第１実施形態の加工システム１００と異なる点は、第２実施形態の印刷システム２００では、加工装置１が印刷装置１０１となっていること、加工制御部７０が印刷制御部１７０となっていること、カットオブジェクト処理部７１Ｂがないこと、カッター部５０（カッター５１及びカッター用ソレノイド５２）がないことである。その他の構成は、加工システム１００と同様である。
【００６２】
第１実施形態では、カットオブジェクト処理部７１Ｂがジョブデータに含まれるカットオブジェクトに基づいてカット指令コード群を作成し、加工装置１がカット指令コード群に従って媒体３をカットしていた。本実施形態では、画像オブジェクト処理部１７１Ａが、ジョブデータに含まれる特色画像オブジェクトに基づいて特色出力指令コード群を作成し、印刷装置１０１が特色出力指令コード群に従って媒体３に特色を出力する。すなわち、第１実施形態におけるカットオブジェクトと同様に、画像データ作成部１６５において、ユーザーは、媒体３に特色を印刷する画像（特色領域と称する）を指定するために、画像データに含まれるオブジェクトに対して、特色印刷を示す特定名を付与することができる。これにより、そのオブジェクトは、媒体３に特色を印刷する特色画像オブジェクトとして印刷制御部１７０に認識されることになる。具体的な特色名としては、「ＲＤＧ＿ＭｅｔａｌｌｉｃＳｉｌｖｅｒ」、「ＲＤＧ＿ＧＬＯＳＳ」、「ＲＤＧ＿ＷＨＩＴＥ」等を使用することができる。これらの特定名は、印刷制御部１７０において、特色出力用の特色名として設定されている。また、別の方法で特色を示す特定名を設定してもよい。
【００６３】
図９は、第２実施形態の画像データ作成部１６５で作成した特色画像オブジェクトの画像の一例を示す図である。図９中には、特色画像オブジェクトとして３つの画像５Ｄ〜５Ｆが示されるとともに、特色を印刷する領域８が網掛けで表示されている。例えば、画像５Ｄ〜５Ｆのうちのいずれかの領域８の名称を、特色印刷を示す特定名ＧＬＯＳＳを含む「ＲＤＧ＿ＧＬＯＳＳ」ではなく、異なる特定名「ＲＤＧ＿ＧＲＯＳＳ」と付与してしまった場合、画像オブジェクト処理部１７１Ａはそのオブジェクトを特色画像オブジェクトとして認識しない。そこで、このような特色画像オブジェクトとして認識しなかったオブジェクトについては、特定名修正部１７２による特定名修正が実行される。なお、特定名修正部１７２が行う特定名修正処理については、第１実施形態の特定名修正部７２が行う特定名修正処理と同様である。
【００６４】
＜効果＞
本実施形態によれば、次のような効果が得られる。
【００６５】
本実施形態の印刷システム２００による印刷方法は、画像データを構成するオブジェクトのうち、特色画像を示す特定名である特色画像オブジェクトネームが付与されたオブジェクトを特色画像オブジェクトとすること、及び、特色画像オブジェクトに基づいて、媒体に特色を印刷することを行う。特定名修正部１７２により、特色画像オブジェクトネームとは異なる特定名が付与された特定名エラーネーム一覧を表示し、特定名エラーネーム一覧から選択した特定名エラーネームに係るオブジェクトに基づいて、媒体に特色を印刷することを特徴とする。このような印刷方法によれば、画像データのオブジェクトのうち、特色画像オブジェクトネームとは異なる特定名をユーザーが誤って付与した場合に、オブジェクトネームに付与される特定名を正しく修正するための手戻り工数の増大を抑制することができる。
【００６６】
本実施形態の印刷システム２００は、画像データを構成するオブジェクトのうち、特色画像を示す特定名である特色画像オブジェクトネームが付与されたオブジェクトを特色画像オブジェクトとすること、及び、特色画像オブジェクトに基づいて、媒体に特色を印刷することを行う印刷装置１０１と、媒体に特色を印刷することを印刷装置１０１に行わせる印刷制御部１７０とを備える。印刷制御部１７０の特定名修正部１７２は、特色画像オブジェクトネームとは異なる特定名が付与された特定名エラーネーム一覧を表示し、ユーザーが特定名エラーネーム一覧から選択した特定名エラーネームに係るオブジェクトに基づいて、媒体に特色を印刷することを印刷装置１０１に行わせることを特徴とする印刷システム２００が明らかとなる。このような印刷システム２００によれば、画像データのオブジェクトに対して、特色画像オブジェクトネームとは異なる特定名をユーザーが誤って付与した場合に、オブジェクトネームに付与される特定名を正しく修正するための手戻り工数の増大を抑制することができる。
【００６７】
＝＝＝その他の実施形態＝＝＝
【００６８】
上記実施形態では、画像データには、媒体３にカラー印刷をする画像を示すカラーオブジェクトや、媒体３に特色印刷する画像を示す特色画像オブジェクトや、媒体３をカットするカットラインを指定するカットオブジェクトが含まれている。しかし、カットオブジェクトや特色画像オブジェクトを含まず、カットオブジェクトのみを含む画像データであってもよい。例えば加工物が無地のシールの場合、その加工物の画像データは、カットオブジェクトのみを含むことになる。ジョブデータ処理部７１は、カットオブジェクト処理部７１Ｂを用いて、カットオブジェクトに基づいてカット指令コード群を作成する。
【００６９】
上記の第１実施形態の加工システム１００は、媒体３へのカラー画像の印刷と、媒体３のカットとを行うためのシステムであり、第２実施形態の印刷システムは、媒体３へのカラー画像の印刷と、媒体３への特色の印刷のためのシステムであると説明した。しかし、第１実施形態の加工システム１００において、媒体３への特色の印刷を行ってもよい。この場合、特色画像オブジェクトを指定するための特定名修正については、カットオブジェクト指定や、特殊効果に関する情報の表示と合わせて一つのダイアログ画面に表示されてもよい。
【００７０】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７１】
１  加工装置、２  架台、３  媒体、４  プラテン、
５Ａ〜５Ｆ  画像Ａ〜画像Ｆ、
６Ａ〜６Ｃ  ラインＡ〜ラインＣ、７  カットライン
８  特色領域
１０・１１０  コントローラー、
２０・１２０  キャリッジ部、２１・１２１  キャリッジ、
２２・１２２  キャリッジ用モーター、２３・１２３  位置検出部、
３０・１３０  搬送部、３１・１３１  搬送用ローラー、
３２・１３２  搬送用モーター、３３・１３３  搬送検出部、
４０・１４０  印刷部、４１・１４１  ヘッド、４２・１４２  ヘッド駆動部、
５０  カッター部、５１  カッター、５２  カッター用ソレノイド、
６０・１６０  コンピューター（加工制御装置）、
６１・１６１  ディスプレイ、６２・１６２  入力装置、
６５・１６５  画像データ作成部、
７０  加工制御部、
７１・１７１  ジョブデータ処理部、７１Ａ・１７１Ａ  画像オブジェクト処理部、
７１Ｂ  カットオブジェクト処理部、
７２・１７２  特定名修正部
１００  加工システム、
１０１  印刷装置、１７０  印刷制御部、
２００  印刷システム
【図１】
2018122542.tif 000003
【図２】
2018122542.tif 000004
【図３】
2018122542.tif 000005
【図４】
2018122542.tif 000006
【図５】
2018122542.tif 000007
【図６】
2018122542.tif 000008
【図７】
2018122542.tif 000009
【図８】
2018122542.tif 000010
【図９】
2018122542.tif 000011